【手続補正書】
【提出日】平成30年6月14日(2018.6.14)
【手続補正１】
【補正対象書類名】特許請求の範囲
【補正対象項目名】全文
【補正方法】変更
【補正の内容】
【特許請求の範囲】
【請求項１】
近距離通信（ＮＦＣ）の方法であって、
ＮＦＣコントローラにおいて、デバイスホストからＮＦＣコントローラ・インターフェース（ＮＣＩ）インジケーションを受信することと、ここにおいて、前記ＮＣＩインジケーションは、前記デバイスホストの新しいスクリーン状態を特定する、
前記ＮＣＩインジケーションに基づいて、前記ＮＦＣコントローラにおいて１つまたは複数のＮＦＣモードを調整することと
を備え、
前記受信することおよび前記調整することが、無線周波数（ＲＦ）発見状態を維持しつつ実行される、
前記新しいスクリーン状態は、ＲＦ発見パラメータおよび／または関連するＲＦ構成セッティングを調整するよう前記ＮＦＣコントローラをトリガする、
方法。
【請求項２】
前記１つまたは複数のＮＦＣモードを調整することが、前記新しいスクリーン状態に基づいて、ピア・ツー・ピアモード、カードエミュレーションモード、およびタグ読出／書込モードのうちの１つまたは複数に調整することを含む、請求項１に記載の方法。
【請求項３】
前記新しいスクリーン状態は、スクリーンＯＮ状態、スクリーンＯＦＦ状態、およびスクリーン状態ＬＯＣＫのうちの１つを示す、請求項１に記載の方法。
【請求項４】
１つまたは複数のＮＦＣモードを調整することが、前記スクリーン状態ＯＮに対応するリスニング状態およびポーリング状態に調整することを含み、前記ポーリング状態が、ピア・ツー・ピアモードおよびタグ読出／書込モードのうちの一方または両方を含む、請求項３に記載の方法。
【請求項５】
１つまたは複数のＮＦＣモードを調整することが、前記スクリーン状態ＯＦＦおよび前
記スクリーン状態ＬＯＣＫに対応するリスニング状態に調整することを含み、前記リスニ
ング状態が、カードエミュレーションモードを含む、請求項３に記載の方法。
【請求項６】
前記新しいスクリーン状態が、前記デバイスホストの前のスクリーン状態とは異なる、請求項１に記載の方法。
【請求項７】
近距離通信（ＮＦＣ）のための装置であって、
ＮＦＣコントローラにおいて、デバイスホストからＮＦＣコントローラ・インターフェース（ＮＣＩ）インジケーションを受信するための手段と、ここにおいて、前記ＮＣＩインジケーションは、前記デバイスホストの新しいスクリーン状態を特定する、
前記ＮＣＩインジケーションに基づいて、前記ＮＦＣコントローラにおいて１つまたは複数のＮＦＣモードを調整するための手段と
を備え、
前記受信することおよび前記調整することが、無線周波数（ＲＦ）発見状態を維持しつつ実行される、
前記新しいスクリーン状態は、ＲＦ発見パラメータおよび／または関連するＲＦ構成セッティングを調整するよう前記ＮＦＣコントローラをトリガする、
装置。
【請求項８】
前記１つまたは複数のＮＦＣモードを調整するための手段が、前記新しいスクリーン状態に基づいて、ピア・ツー・ピアモード、カードエミュレーションモード、またはタグ読出／書込モードのうちの１つまたは複数に調整するための手段を含む、請求項７に記載の装置。
【請求項９】
前記新しいスクリーン状態は、スクリーンＯＮ状態、スクリーンＯＦＦ状態、またはスクリーン状態ＬＯＣＫのうちの１つを示す、請求項７に記載の装置。
【請求項１０】
１つまたは複数のＮＦＣモードを調整するための手段が、前記スクリーン状態ＯＮに対応するリスニング状態およびポーリング状態に調整するための手段と、ここにおいて、前記ポーリング状態が、ピア・ツー・ピアモードおよびタグ読出／書込モードのうちの一方または両方を含む、および、前記スクリーン状態ＯＦＦおよび前記スクリーン状態ＬＯＣＫに対応するリスニング状態に調整するための手段と、ここにおいて、前記リスニング状態は、カードエミュレーションモードを含む、のうちの少なくとも一方または両方を含む、請求項９に記載の装置。
【請求項１１】
前記新しいスクリーン状態が、前記デバイスホストの前のスクリーン状態とは異なる、請求項９に記載の装置。
【請求項１２】
実行されるとき、コンピュータに、請求項１乃至６のいずれか１項にしたがった方法を実行させる命令を備える、コンピュータプログラム。
【手続補正２】
【補正対象書類名】明細書
【補正対象項目名】００５９
【補正方法】変更
【補正の内容】
【００５９】
[0067]先の開示は、実例となる態様および／または態様を説明しているが、説明された態様および／または添付の特許請求の範囲によって定義された態様の範囲から逸脱することなく、様々な変更および修正が本明細書で行われ得ることに留意されたい。さらに、説明された態様および／または態様の要素は、単数形で説明または特許請求され得るが、単数形への限定が明示的に示されていない限り複数形が企図される。追加的に、任意の態様および／または態様の全部または一部は、別途明記されていない限り、任意の他の態様および／または態様の全部または一部とともに利用され得る。
以下に本願発明の当初の特許請求の範囲に記載された発明を付記する。
［Ｃ１］  近距離通信（ＮＦＣ）の方法であって、
ＮＦＣコントローラにおいて、デバイスホストからＮＦＣコントローラ・インターフェース（ＮＣＩ）インジケーションを受信することと、ここにおいて、前記ＮＣＩインジケーションは、前記デバイスホストのスクリーン状態を特定する、
前記ＮＣＩインジケーションに基づいて、前記ＮＦＣコントローラにおいて１つまたは複数のＮＦＣモードを調整することと
を備える方法。
［Ｃ２］  前記受信することおよび前記調整することが、無線周波数発見状態を維持しつつ実行される、Ｃ１に記載の方法。
［Ｃ３］  前記１つまたは複数のＮＦＣモードを調整することが、前記スクリーン状態に基づいて、ピア・ツー・ピアモード、カードエミュレーションモード、およびタグ読出／書込モードのうちの１つまたは複数に調整することを含む、Ｃ１に記載の方法。
［Ｃ４］  前記スクリーン状態は、スクリーンＯＮ状態、スクリーンＯＦＦ状態、およびスクリーン状態ＬＯＣＫのうちの１つを示す、Ｃ１に記載の方法。
［Ｃ５］  １つまたは複数のＮＦＣモードを調整することが、前記スクリーン状態ＯＮに対応するリスニング状態およびポーリング状態に調整することを含み、前記ポーリング状態が、ピア・ツー・ピアモードおよびタグ読出／書込モードのうちの一方または両方を含む、請求項４に記載の方法。
［Ｃ６］  １つまたは複数のＮＦＣモードを調整することが、前記スクリーン状態ＯＦＦおよび前記スクリーン状態ＬＯＣＫに対応するリスニング状態に調整することを含み、前記リスニング状態が、カードエミュレーションモードを含む、Ｃ４に記載の方法。
［Ｃ７］  前記１つまたは複数のＮＦＣモードを調整することが、無線周波数発見モードまたは無線周波数構成モードのうちの一方または両方を調整することを含む、Ｃ１に記載の方法。
［Ｃ８］  前記スクリーン状態が、前記デバイスホストの前のスクリーン状態とは異なる、Ｃ１に記載の方法。
［Ｃ９］  前記ＮＣＩインジケーションが、前記ＮＦＣコントローラによる前記１つまたは複数のモードの前記調整をトリガする、Ｃ１に記載の方法。
［Ｃ１０］  近距離通信（ＮＦＣ）のための装置であって、
ＮＦＣコントローラにおいて、デバイスホストからＮＦＣコントローラ・インターフェース（ＮＣＩ）インジケーションを受信するための手段と、ここにおいて、前記ＮＣＩインジケーションは、前記デバイスホストのスクリーン状態を特定する、
前記ＮＣＩインジケーションに基づいて、前記ＮＦＣコントローラにおいて１つまたは複数のＮＦＣモードを調整するための手段と
を備える装置。
［Ｃ１１］  受信するためのおよび前記調整するための前記手段が、無線周波数発見状態を維持しつつ実行される、Ｃ１０に記載の装置。
［Ｃ１２］  前記１つまたは複数のＮＦＣモードを調整するための手段が、前記スクリーン状態に基づいて、ピア・ツー・ピアモード、カードエミュレーションモード、またはタグ読出／書込モードのうちの１つまたは複数に調整するための手段を含む、Ｃ１０に記載の装置。
［Ｃ１３］  前記スクリーン状態は、スクリーンＯＮ状態、スクリーンＯＦＦ状態、またはスクリーン状態ＬＯＣＫのうちの１つを示す、Ｃ１０に記載の装置。
［Ｃ１４］  １つまたは複数のＮＦＣモードを調整するための手段が、前記スクリーン状態ＯＮに対応するリスニング状態およびポーリング状態に調整するための手段と、ここにおいて、前記ポーリング状態が、ピア・ツー・ピアモードおよびタグ読出／書込モードのうちの一方または両方を含む、および、前記スクリーン状態ＯＦＦおよび前記スクリーン状態ＬＯＣＫに対応するリスニング状態に調整するための手段と、ここにおいて、前記リスニング状態は、カードエミュレーションモードを含む、のうちの少なくとも一方または両方を含む、Ｃ１３に記載の装置。
［Ｃ１５］  前記１つまたは複数のＮＦＣモードを調整するための手段が、無線周波数発見モードまたは無線周波数構成モードのうちの一方または両方を調整するための手段を含む、Ｃ１０に記載の装置。
［Ｃ１６］  近距離通信（ＮＦＣ）のためのコンピュータ実行可能コードを格納するコンピュータ可読媒体であって、
ＮＦＣコントローラにおいて、デバイスホストからＮＦＣコントローラ・インターフェース（ＮＣＩ）インジケーションを受信するために実行可能なコードと、ここにおいて、前記ＮＣＩインジケーションは、前記デバイスホストのスクリーン状態を特定する、
前記ＮＣＩインジケーションに基づいて、前記ＮＦＣコントローラにおいて１つまたは複数のＮＦＣモードを調整するために実行可能なコードと
を備えるコンピュータ可読媒体。
［Ｃ１７］  受信するために実行可能な前記コードおよび調整するために実行可能な前記コードが、無線周波数発見状態を維持しつつ実行される、Ｃ１６に記載のコンピュータ可読媒体。
［Ｃ１８］  前記１つまたは複数のＮＦＣモードを調整するために実行可能な前記コードが、前記スクリーン状態に基づいて、ピア・ツー・ピアモード、カードエミュレーションモード、またはタグ読出／書込モードのうちの１つまたは複数に調整するために実行可能なコードを含む、Ｃ１６に記載のコンピュータ可読媒体。
［Ｃ１９］  前記スクリーン状態が、スクリーンＯＮ状態、スクリーンＯＦＦ状態、またはスクリーン状態ＬＯＣＫのうちの１つを示す、Ｃ１６に記載のコンピュータ可読媒体。
［Ｃ２０］  １つまたは複数のＮＦＣモードを調整するために実行可能な前記コードが、前記スクリーン状態ＯＮに対応するリスニング状態およびポーリング状態に調整するために実行可能なコードと、ここにおいて、前記ポーリング状態は、ピア・ツー・ピアモードおよびタグ読出／書込モードのうちの一方または両方を含む、および、前記スクリーン状態ＯＦＦおよび前記スクリーン状態ＬＯＣＫに対応するリスニング状態に調整するために実行可能なコードと、ここにおいて、前記リスニング状態は、カードエミュレーションモードを含む、のうちの少なくとも一方または両方を含む、Ｃ１９に記載のコンピュータ可読媒体。
［Ｃ２１］  前記１つまたは複数のＮＦＣモードを調整するために実行可能な前記コードが、無線周波数発見モードまたは無線周波数構成モードのうちの一方または両方を調整するために実行可能なコードを含む、Ｃ１６に記載のコンピュータ可読媒体。
［Ｃ２２］  近距離通信（ＮＦＣ）のための装置であって、
デバイスホストからＮＦＣコントローラ・インターフェース（ＮＣＩ）インジケーションを受信することと、ここにおいて、前記ＮＣＩインジケーションは、前記デバイスホストのスクリーン状態を特定する、
前記ＮＣＩインジケーションに基づいて、ＮＦＣコントローラにおいて１つまたは複数のＮＦＣモードを調整することと
を行うように構成された前記ＮＦＣコントローラ
を備える装置。
［Ｃ２３］  前記ＮＦＣコントローラが、無線周波数発見状態を維持しつつ、受信および調整するようにさらに構成される、Ｃ２２に記載の装置。
［Ｃ２４］  前記ＮＦＣコントローラが、前記スクリーン状態に基づいて、ピア・ツー・ピアモード、カードエミュレーションモード、またはタグ読出／書込モードのうちの１つまたは複数に調整することによって、前記１つまたは複数のＮＦＣモードを調整するようにさらに構成される、Ｃ２２に記載の装置。
［Ｃ２５］  前記スクリーン状態が、スクリーンＯＮ状態、スクリーンＯＦＦ状態、またはスクリーン状態ＬＯＣＫのうちの１つを示す、Ｃ２２に記載の装置。
［Ｃ２６］  前記ＮＦＣコントローラが、前記スクリーン状態ＯＮに対応するリスニング状態およびポーリング状態に調整することによって、１つまたは複数のＮＦＣモードを調整するようにさらに構成され、前記ポーリング状態は、ピア・ツー・ピアモードおよびタグ読出／書込モードのうちの一方または両方を含む、Ｃ２５に記載の装置。
［Ｃ２７］  前記ＮＦＣコントローラが、前記スクリーン状態ＯＦＦおよび前記スクリーン状態ＬＯＣＫに対応するリスニング状態に調整することによって、１つまたは複数のＮＦＣモードを調整するようにさらに構成され、前記リスニング状態は、カードエミュレーションモードを含む、Ｃ２５に記載の装置。
［Ｃ２８］  前記ＮＦＣコントローラが、無線周波数発見モードまたは無線周波数構成モードのうちの一方または両方を調整することによって、前記１つまたは複数のＮＦＣモードを調整するようにさらに構成される、Ｃ２２に記載の装置。
［Ｃ２９］  前記スクリーン状態は、前記デバイスホストの前のスクリーン状態とは異なる、Ｃ２２に記載の装置。
［Ｃ３０］  前記ＮＣＩインジケーションは、前記ＮＦＣコントローラによる前記１つまたは複数のモードの前記調整をトリガする、Ｃ２２に記載の装置。